【事件の表示】
　平成１０年特許願第１９４２７９号「パチンコ遊技機」拒絶査定不服審判事件〔平成１１年　３月１６日出願公開、特開平１１−　７０２３９〕について、次のとおり審決する。
【結　論】
　本件審判の請求は、成り立たない。
【理　由】
第一．手続の経緯・本願発明
　本願は、平成４年１月２７日に出願した特願平４−３５５８７号の一部を分割して平成１０年７月９日に新たな特許出願とし、平成１３年１月１１日付で拒絶査定され、これに対して審判を請求するとともに平成１３年３月２６日に手続補正書が提出されたものであって、本願の特許請求の範囲に記載された請求項１及び２に係る発明は、当該補正書の請求項１及び２に記載されたとおりのものと認められるところ、請求項１に記載された発明（以下「本願発明」という）は次のとおりのものと認める。
　本願発明
　「３行３列に配列されて可変表示される図柄を視認できる表示部が遊技面に配置され、前記表示部において予め定められた複数個の当りラインのいずれかに導出表示された図柄の組合わせが予め定められた当り図柄の組合せである場合に当り状態となるパチンコ遊技機であって、
　主基板と、該主基板側に設けられた中央処理装置とを含み、
前記当たりラインは行方向当たりラインと列方向当たりラインとを含んでおり、
　前記３行３列に配列された各々の図柄のうち、まず第１行第１列目および第３行第３列目の図柄の表示結果が導出表示され、次に第１行第２列目、第２行第１列目、第２行第３列目、および第３行第２列目の図柄の表示結果が導出表示され、続いて第１行第３列目および第３行第１列目の図柄の表示結果が導出表示され、最後に第２行第２列目の図柄の表示結果が導出表示されることを特徴とする、パチンコ遊技機。」
　　
　　
第二．刊行物記載事項
　これに対して原査定の拒絶の理由（容易性）に引用された刊行物（Ｃ）特開平１−２０９０８９号公報、（Ｇ）．実願昭６２−５７９５４号（実開昭６３−１６３８７７公報）のマイクロフィルム（注．拒絶理由に記載した刊行物「特開昭６３−１６３８７７号公報」が「実開昭６３−１６３８７７号公報」の誤記であることは、当該拒絶理由に対する意見書、及び審判請求書の記載内容から判断して、審判請求人は認識していたものと認められので前記のように認定する。）、及び周知技術を示す例としての刊行物（Ｄ）実願昭６０−１７４８９３号（実開昭６２−８４４８４号）のマイクロフィルム、（Ｅ）特開昭５９−５５２７３号公報、（Ｆ）特開昭６３−２５５０８２号公報、（Ｇ）実願昭６２−５７９５４号（実開昭６３−１６３８７７公報）のマイクロフィルム，（Ｈ）特開昭５５−９６９８４号公報、（Ｊ）特開平２−２７７４８２号公報、（Ｋ）特開昭６０−３１７８０号公報．（Ｌ）実願昭５８−１８１６２２号（実開昭６０−１８８９７８号）のマイクロフィルム、（Ｍ）特開昭６２−１７２９８０号公報、（Ｎ）実願昭６０−１１８１８８号（実開昭６２−２７６８９号）のマイクロフィルム、（Ｐ）実願平２−１３８８８号（実開平３−１０４３８５号）のマイクロフィルム，（Ｑ）特開昭５９−８８１８２号公報には、各々以下の事項が記載されている。
　［１］．特開平１−２０９０８９号公報（以下「刊行物Ｃ」という）記載事項
　　（Ｃ−１）．「しかも、入賞ラインを従来にないパターンで設定することのできるスロットマシンのリール機構を提供することを目的としてなされたもので、」（第２頁左上欄第１６〜１９行）
　　（Ｃ−２）．「各絵柄表示体の前面に、当該表示体の絵柄を見るための表示窓を形成した前面パネルを配設し、この前面パネルの表示窓の囲りに、各表示窓から見える絵柄につながる線を６ライン以上形成し入賞ラインにしたことを第二の特徴とするものである。」（第２頁右上欄第９〜１４行）
　　（Ｃ−３）．「しかし、本発明の上記リール機構では、従来の１リールに対応する３個のリールが夫々に個々のモータにより回転、停止させられるので、リール停止時に面する絵柄はバラエティに富んだものとなる。
 尚、リール１ａ〜１ｉの数の設定は、上記例に限られず４段、４列以上であってもよいこと勿論である。」（第３頁左上欄第１〜８行）
　　（Ｃ−４）．「即ち、図示した各入賞ライン５１〜５９は、隣り合う各表示窓４ａ〜４ｉに表われる絵柄を縦、横、斜目につないで形成したもので、各リール１ａ〜１ｉを停止したとき、各入賞ライン５1〜５9上において並んだ絵柄の組合せが、予め定められた入賞絵柄の組合せ列と一致すれば入賞となる。
６ａ〜６ｉは各リール１ａ〜１ｉのモータ２ａ〜２ｉに個別に停止指令を出すための個別停止ボタンである。
　この実施例では、上記停止ボタン６ａ〜６ｉのほか、各モータ２ａ〜２ｉの所定のものを一括して、例えば、モータ２ａ−２ｄ−２ｇ、モータ２ｂ−２ｅ−２ｈ、同じくモータ２ｃ−２ｆ−２ｉに同時に停止指令を出すための一括停止ボタン６１〜６３を並設している。尚、一括停止ボタン６１〜６３により一括停止させるモータの組合せは、上記例に限られず、横列や斜め列のモータとするなど、適宜設定可能である。」（第３頁右上欄第１〜１８行）
　　（Ｃ−５）．「上記における３個一組のモータの組合せは、モータ２ａ〜２ｉの列の中から任意に選択して設定できること勿論である。」（第３頁右下欄第１４〜１６行）
　　
　［２］．実願昭６０−１７４８９３号（実開昭６２−８４４８４号）のマイクロフィルム（以下、「刊行物Ｄ」という）記載事項。
　　（Ｄ−１）．「複数のシンボル列ごとにシンボルを複数個ずつ表示窓に表示し、シンボル列ごとにその表示位置に応じて１つずつのシンボルを特定してシンボルの組み合わせを決定するための入賞ラインが複数本設けられたスロットマシンにおいて、
　透明な棒状の支持部材に発光素子を長手方向に配列してなるライン表示部材をそれぞれの入賞ラインごとに前記表示窓と重ね合わせて配設し、所定の入賞ラインに対応して設けられたライン表示部材のみを点灯させることにより、前記表示窓内に前記所定の入賞ラインの表示が行われるようにしたことを特徴とするスロットマシンの入賞ライン表示装置。」（第１頁第５〜１７行）
　　（Ｄ−２）．「また、入賞ラインの表示としては、上述のように有効化された入賞ラインの表示を行う代わりに、入賞判定を行った結果、有効化された複数本の入賞ラインの内、入賞に該当した入賞ラインを表示するようにしてもよい。」（第５頁第１２〜１６行）
　　（Ｄ−３）．「中ヒットを構成する異なったシンボルの組合せになるように、第１〜第３シンボル決定回路５３の作動プログラムが決められている。また、乱数値ごとに予めシンボルの組み合わせを決めておくことも可能で、この場合には確率テーブル５２のメモリ容量が大きくなるが、第１〜第３シンボル決定回路５３〜５５が省略できるようになる。」（第１２頁第８〜１５行）
　　（Ｄ−４）．「第４図の実施例では、ライン表示部材１７をマトリックス状に組んだもので、入賞を構成する各々のシンボルを囲むようにして表示できるようになるものである。」（第１５頁第１４〜１７行）
　　
　［３］．特開昭５９−５５２７３号公報（以下「刊行物Ｅ」という）記載事項
　　（Ｅ−１）．「周知のように、パチンコ遊技機（以下パチンコ機）やコイン遊技機のような弾球遊技機においては、パチンコ玉（以下玉）を打球遊技するのみの従来のものに代えて、可変表示部材を設けたものがある。ここで、可変表示部材としては、回転ドラムを用いた機械的に可変表示するもの、およびセグメント表示器のような電気的な可変表示を行なうものがある。　このような可変表示部材の弾球遊技機としては、たとえば特開昭５１−４９８４４号公報や特開昭５６−８０２８１号公報に記載のものが知られている。」（第２頁左下欄第８〜１８行）
　　（Ｅ−２）．「これによって、外部から視認できる表示部が縦方向と横方向とにそれぞれ複数個（図示では３×３）形成されることになる。」（第４頁右上欄第８〜１０行）
　　（Ｅ−３）．「各回転ドラム３１ａ〜３１ｃの横方向１番目（中段）または２番目（上段）もしくは３番目（下段）の組合せ状態に基づく価値付与のための判断対象とされる方向を表示する。また、状態表示部２６ａ，２６ｂまたは２７ａ，２７ｂは、斜め方向１番目（右上がり方向）または斜め方向２番目（左上がり方向）の組合せ状態に基づく価値付与の判断対象となる方向を表示する。」（第４欄左下欄第１〜８行）
　　（Ｅ−４）．第４図はこの実施例のパチンコ機を制御するための遊技制御回路の回路図である。この実施例の遊技制御回路４０は、マイクロプロセッサ４１、オアゲート４２、状態表示制御回路４３、機械的可変表示駆動回路４４、電気的可変表示駆動回路４５、表示状態検出回路４６ａ〜４６ｃ、価値付与手段の一例の開閉駆動回路４７を含む。」（第５頁左下欄末行〜同頁右下欄第６行）
　　　
　［４］．特開昭６３−２５５０８２号公報（以下「刊行物Ｆ」という）記載事項
　　（Ｆ−１）．「第１図は図柄表示部の正面を示す図である。図において、１１は表装板であり、回転ドラムの図柄を視認し得るように縦長の形状の３つの窓１２ａ、１２ｂ，１２ｃが形成されており、各窓１２には各回転ドラムについて３つの図柄が表示され、９つの図柄が３×３のマトリックス状に表示されるようにている。１３ａ〜１３ｊは上記窓１２に表示される図柄の組合せのうち、当りに対応する図柄の組合せが表示された場合にその図柄の列を遊技者に表示するための発光ダイオード等からなる表示灯であり、図に破線で示したように３つの図柄が回転ドラムの回転軸方向に並ぶ３組の列と３つの図柄が斜めに並ぶ２組の列との５組の列について、それぞれの列の両端の表示灯が同時に点灯される。」（第２頁右上欄末行〜同頁左下欄第１４行）
　　（Ｆ−２）．「第７図は上記パルスモータの駆動制御と表示灯の点灯制御を行なう部分のブロック図である。遊技機の制御を行なう制御部２０から回転ドラム始動指示がコントローラ３０に出力されると、」（第３頁左下欄第４行〜７行）
　　　
　［５］．実願昭６２−５７９５４号（実開昭６３−１６３８７７公報）のマイクロフィルム（以下「刊行物Ｇ」という）記載事項
　　（Ｇ−１）．「実用新案登録請求の範囲　　　　順次停止していく複数の独立した可変表示体を有し、この可変表示体に可変表示される図柄の組合わせにより入賞条件が設定されているパチンコ遊技機において、可変表示体に可変表示される図柄の組合わせが複数組み得られるよう可変表示体を配設すると共に、複数の組合せに最も多く共通する可変表示体を最後に停止するようにしたことを特徴とするパチンコ遊技機」
　　（Ｇ−２）．「（従来の技術）　　従来、順次停止していく複数の独立した可変表示体を有し、この可変表示体に可変表示される図柄の組合わせにより入賞条件が設定されているパチンコ遊技機は広く知られている。例えば、第８図に示すようなものがあり、０〜９の数字が可変表示される３つの可変表示体（セグメント表示体）（６０ａ）（６０ｂ）（６０ｃ）が横一列に配設されている。このパチンコ遊技機にあっては、遊技客から見て左側のセグメント表示体（６０ａ）から停止していき、３つのセグメント表示体（６０ａ）（６０ｂ）（６０ｃ）に同じ数字が可変表示された際に大当りとなり、遊技球の入賞が容易になるようになっている。」（第２頁第２〜１４行）
　　（Ｇ−３）．「したがって、左側のセグメント表示体（６０ａ）に可変表示された数字と、中央のセグメント表示体（６０ｂ）に可変表示された数字とが異なる場合には、残った右側のセグメント表示体（６０ｃ）に数字が可変表示されるのを待つまでもなく、大当りの可能性は全くない。遊技客にしてみれば、左側のセグメント表示体（６０ａ）及び中央のセグメント表示体（６０ｂ）に数字が可変表示された時点で大当りの可能性が無くなってしまう場合が多く、面白みに欠けるものであった。」（第３頁第２〜１１行）
　　（Ｇ−４）．「本実施例にあっては、セグメント表示体（１０ａ）（１０ｂ）（１０ｃ）（１０ｄ）（１０ｅ）に数字が可変表示されるようになっているが、例えばディスプレイを用いてトランプの絵柄等が可変表示されるようにしてもよく、可変表示体に表示される図柄は、数字のみに限定されない。」（第６頁第１４〜１９行）
　　（Ｇ−５）．「第５図〜第７図に示すように、９つの可変表示体を縦横３つずつ並ぶように配設したもの等でもよい。これらの場合も、中央に位置する可変表示体が、複数の組合せに最も多く共通する可変表示体であり、この中央に位置する可変表示体を最後に停止させる。」（第８頁第６〜１１行）
　　（Ｇ−６）．「本考案にあっては、可変表示体に可変表示される図柄の組合わせが複数組み得られれば、可変表示体の数及びその並べ方は、特に限定されない。また、複数設けられた可変表示体の停止順序は、複数の組合わせに最も多く共通する可変表示体を最後に停止させれば、他の可変表示体の停止順序は特に限定されない。」（第８頁第１１〜１９行）
　　（Ｇ−７）．「（考案の効果）　　以上のように本考案に係るパチンコ遊技機によれば、可変表示体に可変表示される図柄の組合わせが複数得られるように可変表示体を配設すると共に複数の組合わせに最も多く共通する可変表示体を最後に停止するようにしたことにより、最後の可変表示体に図柄が可変表示される以前に大当りの可能性が無くなってしまうことを減少させることができ、面白みに富んだ、遊技客に飽きられ難いパチンコ遊技機を提供することができる。」（第１１頁第１〜１０行）
　　（Ｇ−８）．第３図、第４図には、大当りになる図柄の組合せ配置として、直線ライン上に配置されるものばかりでなく、かぎ型に曲がったライン上に配置されるものが示されている 。
　　
　［６］．特開昭５５−９６９８４号公報（以下、「刊行物Ｈ」という）記載事項。
　　（Ｈ−１）．「ところで、前述のような図形表示装置１０は１個の液晶表示器だけで用いることもできるが、より好ましくは複数個の液晶表示器のそれぞれに図形パターンを表示させて、複数個の液晶表示器で表示される図形パターンの種類の組合せによって各種のゲームを行うものとして利用することができる。」（第３頁右下欄第１３〜１９行）
　　（Ｈ−２）．「この各液晶表示器２０ａ、２０ｂ、２０ｃは、打球されたパチンコ球が対応する通過領域４２ａ、４２ｂ、４２ｃを通過する毎に表示している図形パターンの種類を順次可変表示（例えば月、星、太陽の順番で循環的に可変表示するものであるが、このような可変表示動作は後述の第７図で詳細に説明する。」（第４頁右上欄第４〜１０行）
　
　［７］．特開平２−２７７４８２号公報（以下、「刊行物Ｊ」という）記載事項。
　　（Ｊ−１）．「この発明は、上記した問題点に鑑みなされたもので、その目的とするところは、可変表示装置の表示状態が特定表示状態になる可能性があることを遊技者に積極的に報知することにより、遊技の興趣を盛り上げることができる弾球遊技機を提供することにある。」（第２頁右上欄第１６行〜同頁左下欄第１行）
　　（Ｊ−２）．「このカバー部材１９は、識別情報表示部１４ａ〜１４ｃの表面に描かれた識別情報（図柄）が３つ分見えるような大きさに選ばれるとともに図柄がより大きく見えるような拡大レンズ部１９ａ〜１９ｃが形成されている。また、カバー部材１９の左右には、当りラインを表示するライン表示器１５ａ〜１５ｆが配置されている。」（第４頁左上欄第８〜１４行）
　　（Ｊ−３）．「５つの当りラインのうち、どのラインに大当り（特定表示状態）が出現したか否かを遊技者に報知する必要があるため、ライン表示器１５ａ〜１５ｆが設けられている。また、このライン表示器１５ａ〜１５ｆは、大当りが成立したときだけでなく、大当りが出現する可能性があるときにも点滅してその旨を報知するようになっている。例えば、最後に停止する中央の識別情報表示部１４ｂが可変表示中で左右の識別情報表示部１４ａ、１４ｃが停止しているときに、左右の識別情報表示部１４ａ，１４ｃの上記した５つのライン上のいずれかに大当りの識別情報が表示されているときには、当該ラインを表示するライン表示器が点滅して大当りの可能性があることを遊技者に報知する。」（第４頁左上欄第１８行〜同頁右上欄第１２行）
　　（Ｊ−４）．「識別情報表示部が順次停止して可変表示を行っている識別情報表示部が少なくとも残り１つとなったときに、既に停止している識別情報表示部の表示状態が特定表示状態になり得る条件を満たしているか否かが予備表示状態判定手段によって判定され、条件を満たしていると判定された場合には、表示駆動停止遅延手段によって未だ可変表示を行っている残り１つの識別情報表示部の停止時期が、条件を満たしていないと判定された場合よりも遅らせて停止されるとともに、これと同時に報知手段から特定表示状態になり得る可能性がある旨を報知するように構成されるので、」（第１４頁右上欄第３〜１５行）
　　
　［８］．特開昭６０−３１７８０号公報（以下「刊行物Ｋという）記載事項
　　（Ｋ−１）．「以下本考案電動遊技盤を電動式のパチンコ台として説明するが、パチンコ台以外のスロットマシン、スマートボールその他の遊技盤に於ても応用できるものである。
　最近のパチンコ台は玉を特定の穴に投入すると予めセットされた回路により文字、数字、色、模様等の合せ方、並び方によって遊技者が有利に遊技できる機構のもの所謂フィーバー台が設置されるようになった。」（第１頁右欄弟３〜１１行））
　　（Ｋ−２）．「図に於て１はフィーバー形のパチンコ台の本体、２は通常の穴で一玉が入ると予め定まった数例えば１３の玉が出るようになっており、３はフィーバーが生じるための電気回路を操作する特定の穴で、該穴３に玉が入ると盤裏側に設けられた電気回路が作動し、予め定められた数字、文字、色、模様の１つ又は二以上の組み合わせが行われ、その並び方や合せ方によって入賞口４が予め定めた一定時間例えば３０秒間開いた状態を保持するようになっている。文字はすべて電気的に行われる。この入賞口４が開いた状態をフィーバーという。」（第２頁右上欄第１２行〜同頁左下欄第３行）
　　
　［９］．実願昭５８−１８１６２２号（実開昭６０−１８８９７８号）のマイクロフィルム（以下「刊行物Ｌ」という）記載事項、
　　（Ｌ−１）．「ところが、最近のパチンコ機は、玉をはじいて入賞口に入れる、いわゆる遊戯客の技術、技能（テクニック）に負う面が少なくなり、偶然に支配される割合が多くなってきている。その代表的な例がフィーバータイプのパチンコ機である。
　フィーバータイプのパチンコ機とは、玉がフィーバースタートと称する一定の入賞口に入ると、３〜４ケタのいずれも０〜９の数からなるデジタル表示装置が作動を始め、一定時間の後に確率１／２５０〜１／５００の偶然で、同一数字（例えば、７７７や７７７７）等が並ぶのを当てる（一度当たる、と大量のセーフ玉が出る）という形式のものである。」（第２頁第１３行〜第３頁第５行）
　　　
　［１０］．特開昭６２−１７２９８０号公報（以下「刊行物Ｍ」という）記載事項、
　　（Ｍ−１）．「Ｉ）入賞チャッカー４のいずれかにパチンコ球が入賞すると、ＬＥＤ５ａ〜５ｃが駆動する。　ＩＩ）ＬＥＤ５ａ〜５ｃの数値が、同一数字となると、フィーバーとなり３０秒間、ソレノイド２２が駆動し、開閉翼片１０，１０は横臥成位置に維持される。」（第５頁左上欄第１０〜１５行）
　　（Ｍ−２）．「前記可動入賞器３を開放させるＬＥＤ５ａ〜５ｃの組合わせは、同一番号が並んだ場合のみではなく、例えば、「１」、「２」、「３」等のように連続数字の組合せ、二文字のみが同一の組合せ等種々考えられる。この場合に、その組合わせの態様により、ＬＥＤ５ａ〜５ｃの開放時間を変えてもよい。さらに同一番号でも「７」が揃ったときには、前記開放時間を３０秒とし、他の数字が揃った場合には１０秒とする等のように、その利益を異ならせてもよい。」（第５頁左下欄末行〜右下欄第９行）
　　　
　　
　　［１１］．実願昭６０−１１８１８８号（実開昭６２−２７６８９号）のマイクロフィルム（以下「刊行物Ｎ」という）記載事項
　　（Ｎ−１）．「このような背景を考慮し、各入賞ラインを棒状の発光ダイオードを連結した線条発光部として構成することが提案されている 。そして、ゲームを行った結果、特定の入賞ラインについて入賞が得られている場合には、その入賞ラインを構成している線条発光部を点灯させるようにしている。」（第３頁第１６行〜第４頁第２行）
　　（Ｎ−２）．「上記の目的を達成する本考案は、シンボル列が停止して入賞の有無を判定した結果、いずれかの入賞ラインにおいて入賞が得られているときには、その入賞ライン上に位置しているシンボルを、他のシンボルとは異なった表示形態で表示するようにしたものである。リールタイプのスロットマシンで、シンボルを異なった表示形態で表示するためには、リールの周囲に併設されたランプ等の光源を、入賞判定部からの信号に応じて駆動制御し、入賞を構成するシンボルのそれぞれに連続的な照明や点滅する照明を与え、他のシンボルよりも明るくあるいは明滅させて表示すればよい。また、本考案はビデオタイプのスロットマシンにも利用することができ、この場合には、前述のように明るく表示したり、あるいは色調を変化させることも可能である。」（第４頁末行〜第５頁第１５行）
　　（Ｎ−３）．「カラーモジュレータ６６は、ＣＲＴコントローラ５８を介して、入賞を構成しているシンボルの表示色を、他のシンボルよりも明るくなるように表示させる。したがって、入賞が得られた入賞ラインに沿って、配列されているシンボルのそれぞれは、他のシンボルと異なった色調で表示されるようになり、入賞を構成しているシンボルとその並び方が一見して把握できるようになる。なお、入賞を構成しているシンボルを、他のシンボルと識別して表示するためには、シンボルの背景色を変えたり、あるいはシンボルの色調を通常の表示色に対して反転させたりしてもよい。」（第１４頁第２〜１４行）
　　（Ｎ−４）．「本考案はリールやシンボル列の本数が４本以上であったり、１つのシンボル列について表示されるシンボルの個数が３個でなくても等しく適用可能であるとともに、入賞ラインの本数や形状にも左右されるものではない。」（第１５頁第８〜１２行）
　　
　［１２］．実願平２−１３８８８号（実開平３−１０４３８５号）のマイクロフィルム（以下「刊行物Ｐ」という）記載事項
　　（Ｐ−１）.「この表示体４は透明ガラスを基体とした蛍光表示管もしくは表示放電管等が使用され、通常はシースルーとなっているが、回転ドラム１・１・・・のパターン２ａ・２ｂ・・・が一定の配列になって停止した時にスイッチがＯＮされ（ターミナル接続）され通電されるようになっている。その通電によって当り方向を示す表示ライン４ａ・４ｂ・・・のいずれかが輝度を増加して浮かび上がるか、あるいは点灯、点滅するようになっている。表示ライン４ａ・４ｂ・・・は通例の当り配列と対応して横三本、斜め二本が用意されているが、新規な配列を組むことでそれに対応させることも勿論可能である。
　また、第３図として示すのは別の実施例であり、この場合にはパターン２ａ・２ｂ・・・自体に液晶、ＬＥＤ等の表示素子を組み付けたもので当り配列となった時にそのパターン自体２ａ・２ｂ・・・自体を揃った方向において光らせる構成のものである。
　また、この電界を印加した際に生じる発光現象を利用するものとして、前述の素子の他に、エレクトロルミネセンス（ＥＬ）を利用することも可能で、特に面発光を予定する際に適し、まぶしさの少ない点で好適ともいえる。」（第４頁第１７行〜第５頁末行）
　　
　［１３］．特開昭５９−８８１８２号公報（以下「刊行物Ｑ」という）記載事項
　　（Ｑ−１）．「そして、図示しない停止装置によってリールごとに独立に回転を停止させられる。ここで、リール３ａ，３ｂ，３ｃは第２図に示すシンボルの配置で停止したものとし、シンボルの当り組合せは同一のシンボルが３個一列に並ぶときとし、ペイラインは第２図の実線１０，２０，３０，４０，５０の５本であるとする。すると、この場合にはペイライン４０において四角形シンボルが一列に並んでいるので、図示しないセンサーおよび当り判定装置によって当りであると判定され、コイン払い出し口７から所定の払い出し率に応じてコインが払い出される。
　上記の如く従来のスロットマシンは、複数のシンボルからなるシンボル列を単一の中心軸において互いに並列に同一方向に移動させ、かつシンボル列ごとに停止させる構造であるため、シンボル列の移動方向（シンボルの配列方向）についてはゲーム対象となるペイラインを設けることができない。そのため、当り組合せのバラエティに乏しく、遊戯者の楽しみも限定されたものである。。
　本発明は上述の従来技術の欠点に鑑みてなされたもので、シンボルの移動方向すなわち回転体の中心軸と直角方向に対してもペイラインを設けることのできるスロットマシンを提供することを目的とする。」（第２頁左上欄第１３行〜同頁右上欄第１７行）
　　
　　
第三．本願発明の検討（特許法第２９条第２項：容易性）
　［１］．本願発明における用語の定義
　　（１）「導出表示」について、
　　　　(i)．分割元である特願平４−３５５８７号の出願当初の明細書には「導出表示」との文言は記載されていないが、本願明細書（平成１２年９月１８日付手続補正書）の段落【０００６】には、「第１行第１列目および第３行第３列目の図柄の表示結果が導出表示され、次に第１行第２列目、第２行第１列目、第２行第３列目、および第３行第２列目の図柄の表示結果が導出表示され、」と記載されている。
　　　　(ii)．してみると、「導出表示」とは、可変表示部に結果が表示されることと認められる。
　　
　［２］．引用発明（刊行物Ｇに記載された発明）と本願発明との対比
　　（１）．刊行物Ｇに示されるようなフィーバー型パチンコ機における周知事項
　　　フィーバー型パチンコ機における周知事項は、前記刊行物Ｅ，Ｆ、Ｈ、Ｊ、Ｋ、Ｌ、Ｍの記載事項からみて以下のものと認められる。
　「複数の図柄が遊技者に視認できるようにした可変表示体を遊技盤に複数配設し、当該可変表示体が変動して停止したときに、停止した可変表示体により表示される図柄が、複数設定された所定ラインの１ライン上で予め定められた所定の組合せになると、当り状態となって当りラインが表示されるとともに、遊技状態が遊技者に有利な状態となるパチンコ機であって、可変表示体の変動動作制御、当り判定、遊技制御等の処理手段としてＣＰＵ等の処理装置及びそれらの基板を備え、その表示手段として、液晶表示器、ＬＥＤ等周知の表示手段が用いられていること。」
　
　　（２）．引用発明（刊行物Ｇに記載された発明）と本願発明との一致点、相違点
　　　（ア）．一致点
　　　　前記フィーバー型パチンコにおける周知事項を考慮して両者を比較すると、両者は
　　　　「３行３列に配列されて可変表示される図柄を視認できる表示部が遊技面に配置され、前記表示部において予め定められた複数個の当たりラインのいずれかに導出表示された図柄の組合せが予め定められた当たり図柄の組合せである場合に当たり状態となるパチンコ遊技機であって、
　主基板と、該主基板側に設けられた中央処理装置とを含み、
前記当たりラインは行方向当たりラインと列方向当たりラインとを含んでおり、
３行３列に配列された各々の図柄のうち、
最後に第２行第２列目の図柄の表示結果が導出表示されるパチンコ遊技機。」において一致する。
　　
　　　（イ）．相違点
　　　　可変表示される図柄の停止順序として、本願発明は停止順序を順次規定しているのに対し、引用発明では、複数の組み合わせに最も多く共通する可変表示体、すなわち、３行３列の可変表示体においては第２行第２列目の可変表示体を最後に停止させれば、他の可変表示体の停止順序には限定されないとしている点
　　　
　　　（ウ）．相違点の検討
　　　　リール、即ち可変表示される図柄の停止順序については、分割元である特願平４−３５５８７号の出願当初の明細書の段落【００３９】に、「（３）独自に変動するリールを順次停止させるようにしたので、遊技者に対して当たり役の発生に対する期待感を「あおる」ことができる。したがって、リールの可動中に於ける大当たりあるいは当たり役に対する遊技者の興奮度を一層盛上げることができる。」と記載され、他に当該停止順序を本願発明のように特定したことによる格別の効果は記載されていない。
　一方、引用発明には前記（Ｇ−７）に、可変表示体の停止に関して「最後の可変表示体に図柄が可変表示される以前に大当りの可能性が無くなってしまうことを減少させることができ、面白みに富んだ、遊技客に飽きられ難いパチンコ遊技機を提供することができる。」との観点に基づいて停止させればよいことが記載されているから、最後に停止させる図柄に至る迄の図柄の停止順序は、当たり役の発生に対する期待感を「あおる」ように停止させること、すなわち、刊行物Ｃに示されるような、図柄の複数同時停止、個々に停止等を組み合わせ、かつ、何段階で停止させるか等につき、当たり役の発生に対する期待感を「あおる」ように設定することは、当業者が適宜設定できる程度の事項であると認められる。
　してみると、当該相違点は格別のものではない。
　　
　　
第四．むすび
  したがって、本願発明は、引用発明（刊行物Ｇに記載された発明）、刊行物Ｃに記載された発明、及び周知事項に基づいて当業者が容易に発明をすることができたものであるから、特許法第２９条第２項の規定により特許を受けることができない。
　よって、結論のとおり審決する。